(57)【特許請求の範囲】
【請求項１】
軒先の壁面に固定される取付部材と、該取付部材を介して前記壁面の前方に突出して固定される樋支持部とを備えた軒樋支持具において、
前記取付部材は、外面が前記壁面に密着される基部と、該基部に対して所定の折曲角度で折曲された取付部とを備えており、
前記取付部は、前記樋支持部の基端部が固定される固定部と、軸状の固定具を挿通させる挿通孔とを備えて、前記基部が前記壁面に密着した状態で、固定具を前記挿通孔に挿通させ、前記壁面に打ち込んで前記壁面に向けて押圧されることで、前記取付部と前記壁面とのなす角度を小さく変形できるようになっており、
前記取付部材は、前記取付部と前記壁面のなす角度が、前記壁面の傾斜に応じた所定の角度よりも小さく変形することを規制する規制部を備えており、
前記規制部は、長さの異なる寸法のボルトのうちから選択されたボルトを、該ボルトの先端が前記基部に当接するまで前記取付部に形成されたボルト螺合孔に螺着させる構造にしていることを特徴とする軒樋支持具。
【請求項２】
請求項１において、
前記取付部材の折曲角度が鋭角とされる、軒樋支持具。
【発明の詳細な説明】
【技術分野】
【０００１】
本発明は、軒先の壁面に固定される取付部材を介して、樋支持部を壁面の前方に突出するように固定する軒樋支持具に関する。
【背景技術】
【０００２】
図５に示すように、従来の軒樋支持具１００は、樋支持部１０１の基端部１０２を取付部材１１０で軒先の壁面３に固定する構成となっている。軒樋２の底面が水平となるよう軒樋２を支持できるように、図５（ａ）に示すように、壁面３の傾斜に合った基端部１０２を有した軒樋支持具１００が使用されるようになっている。そのため、従来では、壁面３の傾斜ごとに異なる軒樋支持具１００を製造する必要があった。なお、図５（ｂ）において、１１１は取付部材１１０を壁面３に固定する固定具（ねじ）が挿通する挿通孔、１１２は樋支持部１０１の基端部１０２をリベットにて連結する固定部である。
【０００３】
一方、従来には、どのような傾斜の壁面であっても軒樋を水平となるよう支持できるように、軒先の壁面の傾斜に応じて取付部材を変形させて、樋支持部を水平に突出固定できるようにした軒樋支持具が提案されている（たとえば、特許文献１、２参照）。これらの軒樋支持具はいずれも、ボルト（調節ねじ）の螺進、螺退により樋支持部が水平となるように調節できるようになっている。
【先行技術文献】
【特許文献】
【０００４】
【特許文献１】特開２００３−２７６８１号公報
【特許文献２】特開平７−２１７１２５号公報
【発明の概要】
【発明が解決しようとする課題】
【０００５】
しかしながら、これらの軒樋支持具は、前記調節用のボルトは調節専用の部材であり、軒樋支持具を構成する樋支持部および取付部材を壁面に固定するための固定具としては用いられていない。したがって、これらの軒樋支持具を用いれば、壁面への固定作業と、水平調節の作業とを個別にしなければならない。なお、特許文献１にはくわしい記載はないが、特許文献２のものは、樋支持部を連結した取付部材がビスで壁面に固定されるようになっている。
【０００６】
本発明は、このような事情を考慮して提案されたもので、その目的は、壁面への固定と、軒樋（樋支持部）の水平調節とが効率的にできる軒樋支持具を提供することにある。また、より少ない部材で軒樋支持具を構成することも目的とされる。
【課題を解決するための手段】
【０００７】
上記目的を達成するために、請求項１に記載の軒樋支持具は、軒先の壁面に固定される取付部材と、取付部材を介して壁面の前方に突出して固定される樋支持部とを備えた軒樋支持具において、取付部材は、外面が壁面に密着される基部と、基部に対して所定の折曲角度で折曲された取付部とを備えており、取付部は、樋支持部の基端部が固定される固定部と、軸状の固定具を挿通させる挿通孔とを備え、基部が壁面に密着した状態で、固定具を挿通孔に挿通させ、壁面に打ち込んで前記壁面に向けて押圧されることで、取付部と壁面とのなす角度を小さく変形できるようになっており、取付部材は、取付部と壁面のなす角度が、壁面の傾斜に応じた所定の角度よりも小さく変形することを規制する規制部を備えており、規制部は、長さの異なる寸法のボルトのうちから選択されたボルトを、ボルトの先端が基部に当接するまで取付部に形成されたボルト螺合孔に螺着させる構造にしていることを特徴とする。
【０００８】
請求項２に記載の軒樋支持具は、取付部材の折曲角度が鋭角とされる。
【発明の効果】
【００１１】
請求項１に記載の軒樋支持具によれば、上述した構成になっているため、壁面への固定と、軒樋（樋支持部）の水平調節とを効率的にすることができる。また、取付部材を壁面に固定するための固定具を用いて水平調節をする（固定具を共用化する）構成となっているため、使用する部材を少なくすることができる。
また、規制部を有した構成であるため、水平調節をミスなく正確に、かつ効率よく確実に行うことができる。
さらに、上述の構成となっているため、複数の傾斜角度の壁面に対して、ボルトを取り付けるボルト螺合孔を選択することで、適正な状態に軒樋支持具を取り付けることができる。また、複数の中から選択したボルト螺合孔にビスを通して角度を調節できるようになっているため、作業を迅速に行える。また、ボルトは事前にボルト螺合孔に螺着しておけば現場作業を短縮できる。また、現場でボルトの螺着のやり直しもできるので、利便性は高い。
【００１２】
請求項２に記載の軒樋支持具によれば、取付部材の折曲角度が鋭角であるため、取付部材の取付部を基部に対して重ねるように固定具で押圧することで、軒樋支持具を簡単に壁面に固定することができる。基部は固定具による取付部の押圧で壁面に押し付けられるようになるので、基部を他の固定具などを用いて壁面に固定する必要がなく、部材を少なくすることができる。
【図面の簡単な説明】
【００１５】
【図１】本発明の一実施形態に係る軒樋支持具の説明図である。（ａ）は軒樋支持具の取り付け状態を示した側面図、（ｂ）は同要部分解斜視図である。
【図２】（ａ）は軒樋支持具の構成部材である取付部材の側面図、（ｂ）は取付部材の展開図である。
【図３】（ａ）、（ｂ）は軒樋支持具の取り付け態様の２例を示す要部側面図である。
【図４】取付部材の他の形態例を示す説明図である。（ａ）は取付部材の一例を示す正面図、（ｂ）は取付部材の他の例の取り付け状態を示す側面図である。
【図５】従来の軒樋支持具の説明図である。（ａ）は軒樋支持具の取り付け状態を示した側面図、（ｂ）は軒樋支持具の構成部材である取付部材の斜視図である。
【発明を実施するための形態】
【００１６】
以下に、本発明の実施の形態について、添付図面をもとに説明する。まず、基本構成について説明する。
【００１７】
以下に記載した軒樋支持具１は、軒先の壁面３に固定される取付部材２０と、取付部材２０を介して壁面３の前方に突出して固定される樋支持部１０とを備えている。
【００１８】
この取付部材２０は、外面が壁面３に密着される基部２３と、基部２３に対して所定の折曲角度で折曲された取付部２２とを備えている。取付部２２は、樋支持部１０の基端部１２ｃが固定される固定部２２ｃと、軸状の固定具３１を挿通させる挿通孔２２ａとを備え、基部２３が壁面３に密着した状態で、固定具３１を挿通孔２２ａに挿通させ、壁面３に打ち込むことで、壁面３に向けて押圧され取付部２２と壁面３のなす角度を小さくできるようになっている。
【００１９】
ついで、図１〜図３に示した一実施形態に係る軒樋支持具１について詳述する。
【００２０】
この軒樋支持具１は、上述したように、樋支持部１０と、それとは別体の取付部材２０とを備えている。
【００２１】
樋支持部１０は、軒樋２を支持固定する支持部本体１１と、支持部本体１１を連結した杆部１２とを備えている。この樋支持部１０は、軒樋２の軒先壁面３からの距離を調整（出具合調節）できるように、支持部本体１１と杆部１２とが分離された構成となっている。このような構成により、支持部本体１１と杆部１２とは相互に前後方向の適宜な位置で固定されるようになっている。
【００２２】
支持部本体１１は、前端に軒樋前耳保持部１１ｂを、後端に軒樋後耳保持部１１ｃを有した形状とされ、それらの間の板状本体部１１ａには、杆部１２に対して前後方向にスライド調節できるようにするために、長手方向に開設された長孔（不図示）を有している。そして、図１（ａ）に示すように、軒樋前耳保持部１１ｂに前耳２ａが保持され、軒樋後耳保持部１１ｃに後耳２ｂが保持されるようにして、軒樋２が吊り支持されるようになっている。
【００２３】
杆部１２は、ボルト６、蝶ナット５で支持部本体１１と連結される連結部１２ｂを先端に有した突出部１２ａと、その後部より下方に折曲された基端部１２ｃとを備えている。基端部１２ｃには、図１（ｂ）に示すように、上下方向のほぼ中央の位置にリベット孔１２ｄが開設されている。
【００２４】
一方、取付部材２０は、樋支持部１０の構成一部材である杆部１２を軒先の壁面３から前方に向かい突出するように壁面３に固定するための部材である。この取付部材２０は、図１（ａ）、（ｂ）および図２（ａ）などに示すように鋭角に折曲された形状となっており、壁面３に取り付けたときに外面が壁面３に密着するように配される基部２３と、その基部２３に所定の折曲角度に折曲され、樋支持部１０（杆部１２）を連結するようになっている取付部２２とを備えている。
【００２５】
基部２３と取付部２２との間に位置する折り曲げ部には、上下に連通した長孔２１が形成されている。取付部２２の横方向の中央部は、長孔２１に上方より挿通された杆部１２の基端部１２ｃをリベット３３で固定するための固定部２２ｃを構成している。
【００２６】
また、取付部２２には、ねじ３１よりなる軸状の固定具を挿通させるための複数の挿通孔２２ａが開設され、基部２３には、挿通孔２２ａに挿通されたねじ３１を挿通させるための複数の挿通孔よりなる挿通部２３ａが開設されている。なお、ねじ３１は取付部２２の外面側（前方）より挿通するようになっている。また、後述するように、この取付部材２０は基部２３と取付部２２の折曲角度を変動させて壁面３に取り付けできるものであるため、基部２３の挿通部２３ａは、どのように折曲角度が変化してもねじを取付部２２と基部２３とに確実に挿通できるように、図例のように上下に長い長孔とすることが望ましい。
【００２７】
また、取付部２２の両端部には上下方向に間隔を空けてボルト螺合孔２２ｂが開設されている。このボルト螺合孔２２ｂには外面側よりボルト３２が挿通、螺着されるようになっている。基部２３の内面には、ボルト螺合孔２２ｂに挿通されたボルト３２の先端が当接する上下方向に長い楕円状の、ボルト３２の先端のずれを防止する凹み２３ｂが形成されている。この凹み２３ｂの内面には、図２（ｂ）に示したように、滑り止め用の微細凹凸が形成されていることが望ましい。
【００２８】
樋支持部１０と取付部材２０とは連結した状態で、壁面３に取り付けできるようになっている。樋支持部１０と取付部材２０の壁面３への取り付けは、取付部材２０の基部２３の外面を壁面３に密着させた状態でなされる。なお、ねじ止め作業中に基部２３がずれないように、基部２３を両面テープなどで壁面３に仮止めしてから取り付け作業をするようにしてもよい。
【００２９】
本取付部材２０は、上述したように、壁面３に向けて取付部２２を外面側より壁面３（基部２３）とのなす角度を小さくするよう押圧するようにして、ねじ３１が壁面３にねじ込まれることで取り付けられる。なお、図１（ａ）には、ねじ止めする前の取付部２２の位置を２点鎖線で示した。図３（ａ）、（ｂ）についても同様である。
【００３０】
取付部材２０は、それを取り付ける壁面３の傾斜に合わせて、軒樋２（の底面）が水平になるように、つまり本図例では軒樋２を支持する樋支持部１０の杆部１２が水平になるように、取付部２２がねじ３１の壁面３へのねじ込みにより押圧されて折曲角度が小さくなるよう変形する構成となっている。
【００３１】
本軒樋支持具１に用いられる取付部材２０は、図３（ａ）、（ｂ）に示すように、１種のボルト３２を用いて２種の傾斜角度の壁面３に対して取り付けできるようになっている。具体的には、ボルト３２を上下のボルト螺合孔２２ｂ、２２ｂのいずれかに螺着させ、そのボルト３２の先端が対応する凹み２３ｂ、２３ｂに当接するまで押圧することで、いずれの壁面３についても、杆部１２を水平状態にすることができる。
【００３２】
ようするに、ボルト３２をボルト螺合孔２２ｂに螺着することで、そのボルト３２が、取付部２２と壁面３のなす角度が所定の取付角度よりも小さくなることを規制する規制部を構成する。この所定の角度が樋支持部１０を水平状態にするための角度である。ボルト螺合孔２２ｂ、２２ｂのうちの選択されたボルト螺合孔２２ｂにボルト３２を螺着し、ボルト３２の先端を凹み２３ｂに当接させるように取付部２２を押圧することで、折曲角度を所定の角度に変動させることができる。この取付部材２０は、１種のボルト３２を用いることで、傾斜角度の異なる２つの壁面３に対応させることができるようになっている。なお、現場での作業を少なくするために、ボルト３２は取り付ける壁面３の傾斜に対応したボルト螺合孔２２ｂにあらかじめ螺着させておけばよい。
【００３３】
また、図３の例では、樋支持部１０を、１種のボルト３２を用いて２種の傾斜角度の壁面３に取り付けできるようになっているが、長さの異なる他のボルト３２を用いれば、さらに他の２種の傾斜角度の壁面３へ取り付けることも可能である。ようするに、種々の長さのボルト３２を用いることで多種の傾斜角度の壁面３へ樋支持部１０を取り付けることができる。
【００３４】
なお、樋支持部１０を水平にするための適切な長さのボルト３２が準備できない場合でも、ボルト３２を使用せずに、水平器を用いて、あるいは目分量で水平調節することもできる。また、適切な長さのボルト３２が準備できない場合でも、適切なものよりもやや長めのボルト３２を用いて押圧動作が規制されるまでねじ止め作業を行い、その後ボルト３２を外してから、目分量などで水平調節を行ってもよい。つまり、どのような傾斜角度の壁面３に対してでも軒樋支持具１を適性な状態に取り付けることができる。
【００３５】
このように、取付部材２０を用いればさまざまな角度の傾斜壁面に対して、軒樋支持具１を簡易に取り付けでき、かつ水平調節を行うこともできる。また、ねじ３１は軒樋支持具１を壁面３に固定するための、さらに水平調節するための兼用部材であるため、壁面３への固定と、水平調節とを個別に行う必要はなく、軒樋支持具１の迅速な施工を実施することができる。このように樋支持部１０を水平に調節できるので、軒樋２の底面（内底面）を水平に維持でき、その結果、軒樋２内での雨水の滞留などを防止することができる。
【００３６】
また、上述したボルト３２の螺着による規制部によれば、水平調節をミスなく確実に行うことができる。規制部はボルト３２を使用したものであるため、現場でボルト３２を付け替えることも簡単に行える。また、本実施形態の取付部材２０は基部２３の内面にボルト先端の滑り止め用の凹み２３ｃが形成されているので、作業中のボルト３２の先端のずれによる作業の遅延を防止することができる。
【００３７】
また、本実施形態の取付部材２０の取付部２２と基部２３の折曲角度が鋭角であるため、基部２３は取付部材２０の壁面３への取り付けに際して、ねじ３１による取付部２２の押圧で壁面３に押し付けられるようになるので、基部２３を他の固定具などを用いて壁面３に固定する必要がなく、部材を少なくすることができる。
【００３８】
つぎに、図４（ａ）、（ｂ）に示した他の２種の取付部材２０の例について説明する。なお、これらの取付部材２０を用いて壁面３に固定される樋支持部１０は、図１に示したものと同形状をなしている。これらの図では、樋支持部１０についての全体の図示を省略している。
【００３９】
図４（ａ）の取付部材２０は、基部２３のねじ３１が挿通する部位が切り欠かれている。このように挿通孔よりなる挿通部２３ａ（図２参照）の代わりに、基部２３の一部を大きく切り欠いて形成した挿通部２３ａを有しているため、取付部２２の挿通孔２２ａに挿通させたねじ３１を壁面３に確実に到達させ、ねじ込ませることができる。また、取付部材２０の省材料化にも寄与できる。
【００４０】
図４（ｂ）の取付部材２０は、取付部２２と基部２３の折曲角度が鈍角になっており、基部２３は上方に配され、その外面が壁面３に密着するように取り付けられるようになっている。この取付部材２０は、樋支持部１０が連結された状態で、取付部２２の内面側より挿通孔２２ａを介して壁面３に対しねじ止めできるようになっている。
【００４１】
基部２３はあらかじめ壁面３にビス止めしておき、その後、取付部２２をねじ３１の壁面３へのねじ込みにより押圧しながら、取付部２２と壁面３のなす角度を小さくすることで、図１のものと同様に、簡易、迅速に樋支持部１０の水平調節と壁面３への取り付けを行うことができる。なお、図４（ｂ）の取付部材２０の取付部２２は、図１、図４（ｂ）のものと同様の形状をなしており、図４（ｂ）には、挿通孔２２ａ（図１（ｂ）参照）、ボルト螺合孔２２ｂ（図１（ｂ）参照）、および、ボルト３２（図１（ａ）参照）の図示を省略した。
【００４２】
以上に示した実施形態では、軒樋支持具１として、樋支持部１０が支持部本体１１と、杆部１２とよりなる出具合調節が可能なものを例示したが、樋支持部１０が一体のものでもよい。また以上の実施形態では、軒樋支持具１として、軒樋２を吊り支持する軒樋吊り具を例示したが、軒樋支持具１としては、軒樋２を受け支持する樋支持部と、上述した取付部材２０とを組み合わせた軒樋受け具であってもよい。
【符号の説明】
【００４３】
１        軒樋支持具
２        軒樋
１０      樋支持部
１２      杆部
１２ｃ    基端部
２０      取付部材
２１      長孔
２２      取付部
２２ａ    挿通孔
２２ｂ    ボルト螺合孔
２２ｃ    固定部
２３      基部
２３ａ    挿通部
３１      ねじ（固定具）
３２      ボルト
【要約】
【課題】壁面への固定と、軒樋（樋支持部）の水平調節とが効率的にできる軒樋支持具を提供する。
【解決手段】取付部材２０は、外面が壁面３に密着される基部２３と、基部２３に対して所定の折曲角度で折曲された取付部２２とを備えており、取付部２２は、樋支持部１０の基端部１２ｃが固定される固定部２２ｃと、軸状の固定具３１を挿通させる挿通孔２２ａとを備え、基部２３が壁面３に密着した状態で、固定具３１を挿通孔２２ａに挿通させ、壁面３に打ち込むことで、壁面３に向けて押圧され取付部２２と壁面３のなす角度を小さくできるようになっている。
【選択図】図１【図１】
0005815821.tif 000002
【図２】
0005815821.tif 000003
【図３】
0005815821.tif 000004
【図４】
0005815821.tif 000005
【図５】
0005815821.tif 000006